(57)【要約】【課題】  光記録媒体の再生方法に関し、データ破棄の無駄を減少させ、高速なデータ再生や制御を可能する光記録媒体の再生方法を提供すること。【解決手段】  本発明の光記録媒体の再生装置は、ホログラムによって情報が記録された光記録媒体に参照光を照射して再生光を生成させる参照光照射手段と、前記再生光を受光する部分読み出し可能な二次元撮像素子と、前記二次元撮像素子に記録された情報の部分読み出しを制御する部分読み出し制御部と、部分読み出しされた情報を用いて所定の処理を行う情報処理部とを備え、部分読み出しされる情報は、位置検出マーカーであり、情報処理部は、部分読み出しされた位置検出マーカーを用いて、前記再生光と前記二次元撮像素子の間の位置補正を行う。【選択図】図４
2006251675.tif 000002
【特許請求の範囲】
【請求項１】
ホログラムによって情報が記録された光記録媒体に参照光を照射して再生光を生成させる参照光照射手段と、
前記再生光を受光する部分読み出し可能な二次元撮像素子と、
前記二次元撮像素子に記録された情報の部分読み出しを制御する部分読み出し制御部と、
部分読み出しされた情報を用いて所定の処理を行う情報処理部とを備え、
部分読み出しされる情報は、位置検出マーカーであり、
情報処理部は、部分読み出しされた位置検出マーカーを用いて、前記再生光と前記二次元撮像素子の間の位置補正を行う光記録媒体の再生装置。
【請求項２】
ホログラムによって情報が記録された光記録媒体に参照光を照射して再生光を生成させる参照光照射手段と、
前記再生光を受光する部分読み出し可能な二次元撮像素子と、
前記二次元撮像素子に記録された情報の部分読み出しを制御する部分読み出し制御部と、
部分読み出しされた情報を用いて所定の処理を行う情報処理部とを備え、
部分読み出しされる情報は、セクタアドレス情報であり、
情報処理部は、部分読み出しされたセクタアドレス情報を用いて、所望の情報が記載されたセクタの読み出しを行う光記録媒体の再生装置。
【請求項３】
ホログラムによって情報が記録された光記録媒体に参照光を照射して再生光を生成させる参照光照射手段と、
前記再生光を受光する部分読み出し可能な二次元撮像素子と、
前記二次元撮像素子に記録された情報の部分読み出しを制御する部分読み出し制御部と、
部分読み出しされた情報を用いて所定の処理を行う情報処理部とを備え、
情報処理部は、部分読み出しされた情報を用いてコントラストを検出し、再生光のフォーカシングを行う光記録媒体の再生装置。
【請求項４】
ホログラムによって情報が多重記録された光記録媒体に参照光を照射して再生光を生成させる参照光照射手段と、
前記再生光を受光する部分読み出し可能な二次元撮像素子と、
前記二次元撮像素子に記録された情報の部分読み出しを制御する部分読み出し制御部と、
部分読み出しされた情報を用いて所定の処理を行う情報処理部とを備え、
部分読み出しされる情報は、ページアドレスであり、
情報処理部は、部分読み出しされたページアドレスを用いて、読み出しを行ったページが所望のページであるかどうかの判断を行う光記録媒体の再生装置。
【請求項５】
請求項１〜４のいずれか１つに記載の再生装置と、
前記二次元撮像素子の部分読み出し特性に対応させて部分読み出しされる情報を配置した二次元データに対応した物体光を生成する空間光変調器とを備える光記録媒体の記録再生装置。
【請求項６】
ホログラムによって情報が記録された光記録媒体に参照光を照射し、得られる再生光を部分読み出し可能な二次元撮像素子で受光し、前記光記録媒体に記録された位置検出マーカーの部分読み出しを行い、部分読み出しされた位置検出マーカーを用いて、前記再生光と前記二次元撮像素子の間の位置補正を行う光記録媒体の再生方法。
【請求項７】
ホログラムによって情報が記録された光記録媒体に参照光を照射し、得られる再生光を部分読み出し可能な二次元撮像素子で受光し、前記光記録媒体に記録されたセクタアドレス情報の部分読み出しを行い、部分読み出しされたセクタアドレス情報を用いて、所望の情報が記載されたセクタの読み出しを行う光記録媒体の再生方法。
【請求項８】
ホログラムによって情報が記録された光記録媒体に参照光を照射し、得られる再生光を部分読み出し可能な二次元撮像素子で受光し、前記光記録媒体に記録された情報の部分読み出しを行い、部分読み出しされた情報を用いてコントラストを検出し、再生光のフォーカシングを行う光記録媒体の再生方法。
【請求項９】
ホログラムによって情報が多重記録された光記録媒体に参照光を照射し、得られる再生光を部分読み出し可能な二次元撮像素子で受光し、前記光記録媒体に記録されたページアドレスの部分読み出しを行い、部分読み出しされたページアドレスを用いて、読み出しを行ったページが所望のページであるかどうかの判断を行う光記録媒体の再生方法。
【発明の詳細な説明】
【技術分野】
【０００１】
本発明は、光記録媒体の再生装置、記録再生装置及び再生方法に関する。
【背景技術】
【０００２】
ホログラム記録は、２次元のディジタルデータを参照光と物体光の２光束を用いて多重記録し、３次元的な記録を行う。多重記録の方法一例として角度多重方法があり、この方法では、参照光の照射角度を変化させて、同じ位置に複数の２次元情報を重ねて記録する（例えば、特許文献１を参照。）。
【０００３】
このようにして記録された媒体を再生する場合、記録時と同じ角度で参照光を照射し、記録媒体で回折されて生成された再生光をＣＣＤやＣＭＯＳセンサーなどの二次元撮像素子で受光し、得られた出力を信号処理することによって、媒体に記録された２次元のディジタルデータを得る。
【特許文献１】特開２００４−４４３４号公報
【発明の開示】
【発明が解決しようとする課題】
【０００４】
しかし、角度多重方式では、再生光のパターンは、再生時の参照光の照射角度に極めて敏感であり、参照光の照射角度がわずかでもずれると所望の再生光パターンが得られない。従来の方法では、まず、ページ全体の読み出しを行い、読み出した情報からページアドレスを抽出し、抽出したページアドレスを用いて、読み出したページが所望のページであるかどうかの判断を行っていたが、この方法では、読み出したページが所望のページでなかった場合に再度ページ全体の読み出しを行う必要があり、データ再生に時間がかかっていた。また、ページ中の小データを読み出す場合でも、ページ全体を読み出さなければならず、データ転送に時間がかかっていた。
【０００５】
本発明は係る事情に鑑みてなされたものであり、高速なデータ再生や制御を可能する光記録媒体の再生装置及び再生方法を提供するものである。
【課題を解決するための手段及び発明の効果】
【０００６】
（光記録媒体の再生装置）
本発明の光記録媒体の再生装置は、ホログラムによって情報が記録された光記録媒体に参照光を照射して再生光を生成させる参照光照射手段と、前記再生光を受光する部分読み出し可能な二次元撮像素子と、前記二次元撮像素子に記録された情報の部分読み出しを制御する部分読み出し制御部と、部分読み出しされた情報を用いて所定の処理を行う情報処理部とを備え、部分読み出しされる情報は、位置検出マーカーであり、情報処理部は、部分読み出しされた位置検出マーカーを用いて、前記再生光と前記二次元撮像素子の間の位置補正を行う。
【０００７】
本発明の装置は、部分読み出し（ＣＣＤではパーシャルスキャン、ＣＭＯＳではアドレッシブルスキャンと一般的に呼ばれる。）可能な二次元撮像素子を備え、この素子の部分読み出しを行うことができる。部分読み出しとは、ページの一部のみの読み出しを行うことをいう。従って、従来のように、ページ全体の読み出しを行っていた場合と比較して、素早く読み出し処理を完了させることができる。なお、ページとは、一度の工程で記録・再生される二次元データの単位である。
【０００８】
また、部分読み出しされる情報は、位置検出マーカー（以下、「マーカー」ともいう。）であり、情報処理部は、部分読み出しされたマーカーを用いて、前記再生光と前記二次元撮像素子の間の位置補正を行う。マーカーとは、前記位置補正のために用いられる予め定められた既知パターンである。マーカーは、通常、複数個配置され、少なくともページの４隅に配置されることが好ましい。再生光と二次元撮像素子の間の位置補正は、例えば、二次元撮像素子の位置を並進又は回転移動させるか、再生光用の光学系に通常用いられる対物レンズを並進又は回転移動させることによって行う。本発明では、マーカーの部分読み出しを行い、部分読み出しされたマーカーを用いて、前記再生光と前記二次元撮像素子の間の位置補正を行うので、位置補正を素早く行うことができる。
【０００９】
また、本発明は、ホログラムによって情報が記録された光記録媒体に参照光を照射して再生光を生成させる参照光照射手段と、前記再生光を受光する部分読み出し可能な二次元撮像素子と、前記二次元撮像素子に記録された情報の部分読み出しを制御する部分読み出し制御部と、部分読み出しされた情報を用いて所定の処理を行う情報処理部とを備え、部分読み出しされる情報は、セクタアドレス情報であり、情報処理部は、部分読み出しされたセクタアドレス情報を用いて、所望の情報が記載されたセクタの読み出しを行う光記録媒体の再生装置も提供する。
【００１０】
セクタアドレス情報とは、セクタアドレスとそのアドレスに存在するセクタに記録された情報との関係を示す情報である。本発明では、まず、セクタアドレス情報の部分読み出しを行い、部分読み出しされたセクタアドレス情報を用いて所望のセクタにアクセスし、そのセクタに記録された情報を読み出す。従って、例えば、小データに頻繁にアクセスする場合などには、必要なデータのみの部分読み出しを行うことができるので、実質的な読み出し速度を向上させることができる。
【００１１】
また、本発明は、ホログラムによって情報が記録された光記録媒体に参照光を照射して再生光を生成させる参照光照射手段と、前記再生光を受光する部分読み出し可能な二次元撮像素子と、前記二次元撮像素子に記録された情報の部分読み出しを制御する部分読み出し制御部と、部分読み出しされた情報を用いて所定の処理を行う情報処理部とを備え、情報処理部は、部分読み出しされた情報を用いてコントラストを検出し、再生光のフォーカシングを行う光記録媒体の再生装置も提供する。
【００１２】
例えば、二次元撮像素子の中央付近の領域で、任意のビットパターンの部分読み出しを行い、部分読み出しされたビットパターンのコントラストを検出し、このコントラストが最適になるように、再生光用の光学系に通常用いられる対物レンズを移動させることによって、再生光のフォーカシングを行うことができる。なお、従来は、フォーカシングを行うためにサーボ用の別光源、フォーカス検出器を用いていたが、本発明では、このような専用の光源・検出器は必要ないので、再生装置の部品点数を減らすことができる。
【００１３】
また、本発明は、ホログラムによって情報が多重記録された光記録媒体に参照光を照射して再生光を生成させる参照光照射手段と、前記再生光を受光する部分読み出し可能な二次元撮像素子と、前記二次元撮像素子に記録された情報の部分読み出しを制御する部分読み出し制御部と、部分読み出しされた情報を用いて所定の処理を行う情報処理部とを備え、部分読み出しされる情報は、ページアドレスであり、情報処理部は、部分読み出しされたページアドレスを用いて、読み出しを行ったページが所望のページであるかどうかの判断を行う光記録媒体の再生装置を提供する。
【００１４】
多重記録とは、同一の記録領域に情報が複数ページに多重化されて記録されることをいう。多重化の方法は、角度多重、波長多重、位相コード多重など、いずれの方法であってもよい。ページアドレスとは、同一の記録領域に記録された複数ページのうち、どのページであるのかを示す情報である。例えば、ページＡ，Ｂ，Ｃ，Ｄ，Ｅに多重化されている場合、ページアドレスとは、それぞれ、Ａ，Ｂ，Ｃ，Ｄ，Ｅに相当する情報である。例えば、再生装置にページＢの読み出しを行う旨を指示を行ったとする。このとき、まず、最初にページアドレスの部分読み出しを行う。部分読み出しされたページアドレスが「Ｂ」に相当する情報であれば、再生装置は、適切な読み出しを行っている。一方、部分読み出しされたページアドレスが「Ｃ」に相当する情報であれば、再生装置は、不適切な読み出しを行っている。この場合、例えば角度多重であれば、参照光の照射角度を再調整して、再度ページアドレスの部分読み出しを行う。本発明では、ページ全体の読み出しを行うのではなく、ページアドレスの部分読み出しを行って、読み出したページが所望のページであるかどうかの判断を行うので、読み出し処理の高速化が可能であり、特に、読み出したページが所望のページでなかった場合であっても、無駄の発生が少なく、高速化の効果が大きい。
【００１５】
（光記録媒体の記録再生装置）
また、本発明は、上記記載の再生装置と、前記二次元撮像素子の部分読み出し特性に対応させて部分読み出しされる情報を配置した二次元データに対応した物体光を生成する空間光変調器とを備える光記録媒体の記録再生装置も提供する。
例えば、二次元撮像素子がＣＭＯＳの場合、ＣＭＯＳは、ブロック単位で部分読み出しが可能なので、この特性に対応させて部分読み出しされる情報をブロック単位で配置する（図２を参照）。また、二次元撮像素子がＣＣＤの場合、ＣＣＤは、ライン単位で部分読み出しが可能なので、この特性に対応させて部分読み出しされる情報をライン単位で配置する（図５を参照）。このような配置にすることによって、効率的な部分読み出しが可能になる。なお、部分読み出しされる情報とは、位置検出マーカー、セクタアドレス情報、ページアドレス、情報データ等である。
【００１６】
（光記録媒体の再生方法）
本発明は、ホログラムによって情報が記録された光記録媒体に参照光を照射し、得られる再生光を部分読み出し可能な二次元撮像素子で受光し、前記光記録媒体に記録された位置検出マーカーの部分読み出しを行い、部分読み出しされた位置検出マーカーを用いて、前記再生光と前記二次元撮像素子の間の位置補正を行う光記録媒体の再生方法も提供する。
【００１７】
また、本発明は、ホログラムによって情報が記録された光記録媒体に参照光を照射し、得られる再生光を部分読み出し可能な二次元撮像素子で受光し、前記光記録媒体に記録されたセクタアドレス情報の部分読み出しを行い、部分読み出しされたセクタアドレス情報を用いて、所望の情報が記載されたセクタの読み出しを行う光記録媒体の再生方法も提供する。
【００１８】
また、本発明は、ホログラムによって情報が記録された光記録媒体に参照光を照射し、得られる再生光を部分読み出し可能な二次元撮像素子で受光し、前記光記録媒体に記録された情報の部分読み出しを行い、部分読み出しされた情報を用いてコントラストを検出し、再生光のフォーカシングを行う光記録媒体の再生方法も提供する。
【００１９】
また、本発明は、ホログラムによって情報が多重記録された光記録媒体に参照光を照射し、得られる再生光を部分読み出し可能な二次元撮像素子で受光し、前記光記録媒体に記録されたページアドレスの部分読み出しを行い、部分読み出しされたページアドレスを用いて、読み出しを行ったページが所望のページであるかどうかの判断を行う光記録媒体の再生方法も提供する。
これらの方法は、上記光記録媒体の再生装置を用いて実施することができる。従って、上記光記録媒体の再生装置についての説明は、その趣旨に反しない限り、これら再生方法についても当てはまる。
【発明を実施するための最良の形態】
【００２０】
図１を用いて本発明の光記録媒体の記録再生装置について説明する。図１は、本発明の一実施例の記録再生装置の構成図である。
【００２１】
光源１から出射されたレーザー光３は、コリメータレンズ５で平行光にされた後、ビームスプリッタ７によって２つの光３ａ，３ｂに分岐される。一方の光３ａは、ビームエキスパンダ９によってビーム径が拡大された後、空間光変調器１１（以下、「変調器１１」ともいう。）によって所定の情報を有する物体光３ｃに変換される。変調器１１は、後述する二次元撮像素子の部分読み出し特性に対応させて部分読み出しされる情報を配置した二次元データに対応した物体光３ｃを生成する。この情報が記録される領域の具体的な配置については、後述する。
【００２２】
物体光３ｃは、ビームスプリッタ１２をそのまま通過し、対物レンズ１３によって集光され、図示しない載置部に載置された光記録媒体１４のホログラム記録層１４ｃに照射される。なお、光記録媒体１４は、基板１４ａ上に反射膜１４ｂ、ホログラム記録層１４ｃ、保護膜１４ｄを順次備えている。
【００２３】
他方の光３ｂは、ミラー１５ａ，１５ｂによって、ガルバノミラー１７に導かれ、ガルバノミラー１７で反射され、一対のレンズ１９によって、参照光として物体光３ｃと同じ位置に照射される。ガルバノミラー１７は、後述するサーボ制御部２９の指令により、紙面に垂直な軸１７ａを中心に回転し、光３ｂの反射角度を変化させる。光３ｂの反射角度が変化した場合でも、一対のレンズ１９の作用により、光３ｂは、入射角が異なる参照光として、ほぼ同じ位置に照射される。参照光３ｂの入射角度が異なると、異なる干渉縞パターンが媒体１４に記録されるので、ガルバノミラーの角度を変化させることによって、角度多重記録が実現される。
【００２４】
再生の際には、変調器１１によって光３ａを遮断し（又は、別途設けたシャッターなどで光３ａを遮断し）、参照光３ｂのみを媒体１４に照射する。媒体１４の反射層１４ｂで反射した光が、ホログラム記録層１４ｃの干渉縞パターンに照射されると、この光は、干渉縞パターンにより回折され、再生光３ｄが生成される。再生光３ｄは、媒体１４から対物レンズ１３に向かって進み、ビームスプリッタ１２で反射されて、ＣＭＯＳ又はＣＣＤなどの二次元撮像素子２１（以下、「素子２１」ともいう。）で検出され、情報が読み出される。素子２１は、部分読み出し可能な素子であり、部分読み出し制御部２７に制御されて、部分読み出しが行われる。
【００２５】
情報処理部２５は、Ｉ／Ｆ２３を介してパソコン等の上位装置からの読取要求を受け、部分読み出し制御部２７に対して部分読み出しの指示を行う。部分読み出しされた情報は、情報処理部２５で処理されて、再生光３ｄと素子２１との間の位置補正や、参照光の照射角度調整などを行うために用いられる。例えば、マーカーが部分読み出しされた場合は、情報処理部２５からサーボ制御部２９に対して指示が出され、サーボ制御部２９は、対物レンズ１３及び一対のレンズ１９を駆動させるアクチュエーター３１を駆動して、チルト補正、収差補正、回転補正などを行う。
【００２６】
（ＣＭＯＳを用いた実施形態）
図２は、素子２１として、部分読み出し可能なＣＭＯＳを用いた場合の、変調器１１での二次元記録データの配置例を示す。
【００２７】
このＣＭＯＳは、ブロック単位で部分読み出し可能な素子である。例えば、データ領域４１では、セクタ４１ａは、図２に示すようにマトリックス状に並んでいる。また、変調器１１の各角部及び辺の中央部には、マーカー領域４３が設けられており、隣接するマーカー領域４３の間には、ページアドレス領域４５が設けられ、各領域ごとに部分読み出しが可能なものとする。データ領域４１の左端上端のセクタは、セクタアドレス情報領域４７になっている。領域４３，４５，４７には、それぞれ、マーカー、ページアドレス、セクタアドレス情報が記録される。
なお、図２では、信頼性を向上させるために、複数のページアドレス領域４５が設けられているが、この領域は、１つのみであってもよい。以上のような配置で、記録要求があったときにはユーザデータやページアドレスが各領域４１，４３，４５，４７に配置されるように二次元データが構成され、全てのデータが光記録媒体１４に書き込まれる。
【００２８】
再生時、光記録媒体１４には、参照光３ｂが照射され、記録時の各領域４１，４３，４５，４７の配置が保たれた再生光３ｄが生成され、この再生光３ｄが、素子２１に受光される。
【００２９】
次に、図３及び図４を用いて、素子２１の部分読み出し方法について説明する。図３は、素子２１の受光面であり、素子２１上での部分読み出し領域の配置例を示し、図４は、部分読み出し方法を示すフローチャートである。パソコン等の上位装置からユーザデータの再生要求があり、その要求に対応したページを読み出すための参照光を照射するものとする。
【００３０】
Ｓ１では、光記録媒体１４に参照光３ｂが照射されると、素子２１が再生光３ｄを受光する。受光すると、画素ごとに光強度に対応した情報が保持される。
【００３１】
Ｓ２では、部分読み出し制御部２７の制御下で、マーカー領域４３に対応した領域５３で、マーカーの部分読み出しが行われる。部分読み出しされたマーカーは、情報処理部２５に送られる。
【００３２】
Ｓ３では、情報処理部２５は、部分読み出しされたマーカーが所定の既知パターンと一致するか否かを確認し、不一致の場合は、サーボ制御部２９に対して、再生光３ｄと素子２１との間の位置補正を行う旨の指示を出す。サーボ制御部２９は、対物レンズ１３及び一対のレンズ１９を駆動させるアクチュエーター３１を駆動して、チルト補正、収差補正、回転補正などを行う。
【００３３】
Ｓ４では、位置補正が完了したかどうかが判断され、位置補正が完了している場合には、Ｓ５に移り、まだ完了していない場合には、Ｓ２に戻り、再度、領域５３でマーカーの部分読み出しを行って位置補正を行う。
【００３４】
Ｓ５では、ページアドレス領域４５に対応した領域５５でページアドレスの部分読み出しを行う。部分読み出しされたページアドレスは、情報処理部２５に送られる。情報処理部２５は、Ｓ６において、ページアドレスが適切であるかどうかを確認し、読み出しが行われているページが所望のページであるかどうかの判断を行う。ページアドレスが適切でない場合には、サーボ制御部２９が、情報処理部２５からの指示に従って、ガルバノミラー１７の角度を再調整する。再調整の後、Ｓ１に戻り、再度、再生光３ｄの受光が行なわれる。ページアドレスが適切である場合は、Ｓ７に移る。
【００３５】
Ｓ７では、要求された読み出しが、ページ全体の読み出し要求の場合は、Ｓ８に移り、データ領域４１に対応した領域５１で情報の読み出しを行う。ページ読み出しを行わず、所望の情報が記録されたセクタの部分読み出しを行う場合には、Ｓ９に移り、セクタアドレス情報領域４７に対応した領域５７でセクタアドレス情報の部分読み出しを行う。次に、Ｓ１０に移り、セクタアドレス情報により、所望の情報が記録されたセクタ４１ａのアドレスを確認し、セクタ４１ａに対応した領域５１ａで部分読み出しを行う。
【００３６】
部分読み出し方法には、種々の変形例が考えられる。マーカー、ページアドレス、セクタアドレス情報の全部を同時に部分読み出ししてもよく、このうちの少なくとも２つを同時に部分読み出ししてもよい。例えば、マーカー及びページアドレスの両方の部分読み出しを行った後（Ｓ２及びＳ５）、Ｓ３及びＳ６以降のステップを行ってもよい。
【００３７】
（ＣＣＤを用いた実施形態）
図５は、素子２１として、部分読み出し可能なＣＣＤを用いた場合の、変調器１１での二次元記録データの配置例を示す。
【００３８】
このＣＣＤは、図５に示すようにライン単位で部分読み出し可能な素子である。例えば、データ領域４１では、セクタ４１ａは、図２に示すように並列に並んでいる。また、変調器１１の各角部、辺の中央部及び中心には、マーカー領域４３が設けられており、隣接するマーカー領域４３の間には、ページアドレス領域４５が設けられ、各領域ごとに部分読み出しが可能なものとする。データ領域４１の上端のセクタは、セクタアドレス情報領域４７になっている。領域４３，４５，４７には、それぞれ、マーカー、ページアドレス、セクタアドレス情報が記録される。
なお、図５では、信頼性を向上させるために、複数のページアドレス領域４５が設けられているが、この領域は、１つのみであってもよい。以上のような配置で、記録要求があったときにはユーザデータやページアドレスが各領域４１，４３，４５，４７に配置されるように二次元データが構成され、全てのデータが光記録媒体１４に書き込まれる。
【００３９】
再生時、光記録媒体１４には、参照光３ｂが照射され、記録時の各領域４１，４３，４５，４７の配置が保たれた再生光３ｄが生成され、この再生光３ｄが、素子２１に受光される。
【００４０】
次に、図６及び図７を用いて、素子２１の部分読み出し方法について説明する。図６は、素子２１の受光面であり、素子２１上での部分読み出し領域の配置例を示し、図７は、部分読み出し方法を示すフローチャートである。パソコン等の上位装置からユーザデータの再生要求があり、その要求に対応したページを読み出すための参照光を照射するものとする。
【００４１】
Ｓ１１では、光記録媒体１４に参照光３ｂが照射されると、素子２１が再生光３ｄを受光する。受光すると、画素ごとに光強度に対応した情報が保持される。
【００４２】
Ｓ１２では、部分読み出し制御部２７の制御下で、マーカー領域４３及びページアドレス領域４５に対応した領域６３でマーカー及びページアドレスの部分読み出しが行われる。部分読み出しされたマーカー及びページアドレスは、情報処理部２５に送られる。
【００４３】
Ｓ１３では、情報処理部２５は、部分読み出しされたマーカーが所定の既知パターンと一致するか否かを確認し、不一致の場合は、サーボ制御部２９に対して、再生光３ｄと素子２１との間の位置補正を行う旨の指示を出す。サーボ制御部２９は、対物レンズ１３及び一対のレンズ１９を駆動させるアクチュエーター３１を駆動して、チルト補正、収差補正、回転補正などを行う。
【００４４】
Ｓ１４では、位置補正が完了したかどうかが判断され、位置補正が完了している場合には、Ｓ１５に移り、まだ完了していない場合には、Ｓ１２に戻り、再度、領域６３でマーカー及びページアドレスの部分読み出しを行って位置補正を行う。
【００４５】
Ｓ１５では、情報処理部２５は、ページアドレスが適切であるかどうかを確認し、読み出しが行われているページが所望のページであるかどうかの判断を行う。ページアドレスが適切でない場合には、サーボ制御部２９が、情報処理部２５からの指示に従って、ガルバノミラー１７の角度を再調整する。再調整の後、Ｓ１１に戻り、再度、再生光３ｄの受光が行なわれる。ページアドレスが適切である場合は、Ｓ１６に移る。
【００４６】
Ｓ１６では、要求された読み出しが、ページ全体の読み出し要求の場合は、Ｓ１７に移り、データ領域４１に対応した領域６１で情報の読み出しを行う。ページ読み出しを行わず、所望の情報が記録されたセクタの部分読み出しを行う場合には、Ｓ１８に移り、セクタアドレス情報領域４７に対応した領域６７でセクタアドレス情報の部分読み出しを行う。次に、Ｓ１９に移り、セクタアドレス情報により、所望の情報が記録されたセクタ４１ａのアドレスを確認し、セクタ４１ａに対応した領域６１ａで部分読み出しを行う。
【００４７】
なお、別の実施形態では、マーカー、ページアドレス、セクタアドレス情報の全部を同時に部分読み出ししてもよい。また、位置補正（Ｓ１３）の前に、ページアドレスが適切かどうかの判断（Ｓ１５）を行ってもよい。
【図面の簡単な説明】
【００４８】
【図１】本発明の光記録媒体の記録再生装置の構成図
【図２】ＣＭＯＳを用いた場合の、二次元記録データ配置例
【図３】ＣＭＯＳ上での部分読み出し領域の配置例
【図４】ＣＭＯＳを用いた場合の部分読み出し方法を示すフローチャート
【図５】ＣＣＤを用いた場合の、二次元記録データ配置例
【図６】ＣＣＤを上での部分読み出し領域の配置例
【図７】ＣＣＤを用いた場合の部分読み出し方法を示すフローチャート
【符号の説明】
【００４９】
１：光源  ３：レーザー光  ３ａ，ｂ：分岐された光  ３ｃ：物体光  ３ｄ：再生光  ５：コリメータレンズ  ７：ビームスプリッタ  ９：ビームエキスパンダ  １１：空間光変調器  １２：ビームスプリッタ  １３：対物レンズ  １４：光記録媒体  １４ａ：基板  １４ｂ：反射膜  １４ｃ：記録層  １４ｄ：保護膜  １５ａ，１５ｂ：ミラー  １７：ガルバノミラー  １７ａ：軸  １９：一対のレンズ  ２１：二次元撮像素子  ３１：アクチュエーター  ４１：データ領域  ４１ａ：セクタ  ４３：位置検出マーカー領域  ４５：ページアドレス領域  ４７：セクタアドレス情報領域  ５１，６１：データ領域に対応した領域  ５１ａ，６１ａ：セクタに対応した領域  ５３：位置検出マーカー領域に対応した領域  ５５：ページアドレス領域に対応した領域  ５７，６７：セクタアドレス情報領域に対応した領域  ６３：位置検出マーカー領域及びページアドレス領域に対応した領域
【図１】
2006251675.tif 000003
【図２】
2006251675.tif 000004
【図３】
2006251675.tif 000005
【図４】
2006251675.tif 000006
【図５】
2006251675.tif 000007
【図６】
2006251675.tif 000008
【図７】
2006251675.tif 000009